(57)【要約】【課題】ハードディスク等の記録媒体に記録されている多数の楽曲を、コストをかけずに、かつ、自動的に並び替えることができるようにする。【解決手段】放送番組の内容を示す付随情報（曲名情報やアーティスト名情報）をマイクロプロセッサ４がＦＭ多重デコーダ３から取得し、当該取得した付随情報に基づいてハードディスク５内に記録されている楽曲を並び替えることにより、無料の放送番組の利用して通信コストをかけずに、かつ、面倒なインターネット接続操作等を行うことなく、ハードディスク５に記録されている多数の楽曲を自動的に並び替えることができるようにする。【選択図】        図１
2004288330.tif 000002
【特許請求の範囲】
【請求項１】
受信された放送番組のデータに付加されている、その放送内容を示す付随情報を取得する付随情報取得手段と、
上記付随情報取得手段により取得された上記付随情報と、記録媒体に記録されている複数の楽曲に関する属性情報とを用いて、上記複数の楽曲を上記付随情報に基づいて並び替える並び替え手段とを備えたことを特徴とする受信放送情報を用いた楽曲並び替え装置。
【請求項２】
上記付随情報取得手段により取得される付随情報は、最新ヒットチャートを紹介する放送番組で紹介された各楽曲の曲名情報であり、
上記並び替え手段は、上記最新ヒットチャート番組で紹介された楽曲の順位に従って上記記録媒体に記録されている複数の楽曲を並び替えることを特徴とする請求項１に記載の受信放送情報を用いた楽曲並び替え装置。
【請求項３】
上記付随情報取得手段により取得される付随情報は、所望期間中に受信した複数の放送番組で放送された各楽曲の曲名情報であり、
上記並び替え手段は、上記複数の放送番組で放送された回数の多い楽曲順に上記記録媒体に記録されている複数の楽曲を並び替えることを特徴とする請求項１に記載の受信放送情報を用いた楽曲並び替え装置。
【請求項４】
上記付随情報取得手段により取得される付随情報は、所望期間中に受信した複数の放送番組で放送された各楽曲のアーティスト情報であり、上記並び替え手段は、上記複数の放送番組で放送された回数の多いアーティスト順に上記記録媒体に記録されている複数の楽曲を並び替えることを特徴とする請求項１に記載の受信放送情報を用いた楽曲並び替え装置。
【請求項５】
記録媒体から再生された楽曲に付属している、その楽曲に関する第２の属性情報を取得する属性情報取得手段を備え、
上記並び替え手段は、上記付随情報取得手段により取得された上記付随情報と、上記記録媒体に記録されている複数の楽曲に関する上記属性情報と、上記属性情報取得手段により取得された上記第２の属性情報とを用いて、上記付随情報および上記第２の属性情報に基づいて上記複数の楽曲を並び替えることを特徴とする請求項１に記載の受信放送情報を用いた楽曲並び替え装置。
【発明の詳細な説明】
【０００１】
【発明の属する技術分野】
本発明は受信放送情報を用いた楽曲並び替え装置に関し、特に、ハードディスク等の記録媒体に蓄積された多数の楽曲を受信放送情報に基づいて並び替える装置に用いて好適なものである。
【０００２】
【従来の技術】
近年、車両の振動や車内の大幅な温度変化に十分耐えうるハードディスクの開発が進み、ハードディスクを搭載した車載オーディオ装置が提供されている。また、ＭＰ３（ＭＰＥＧ  Ａｕｄｉｏ  Ｌａｙｅｒ−３）対応のデコーダを搭載した車載オーディオ装置も提供されている。この種の車載オーディオ装置によれば、ＭＰ３形式の多数の楽曲をハードディスクに記録しておくことで、ＣＤ（Ｃｏｍｐａｃｔ  Ｄｉｓｃ）やＭＤ（Ｍｉｎｉ  Ｄｉｓｃ）等のメディアを一々抜き差しすることなく、多くの楽曲を視聴することができる。
【０００３】
このように、ハードディスクおよびＭＰ３デコーダを搭載した車載オーディオ装置では、面倒な抜き差し操作をしなくても、多数曲の中から所望の曲を選択して再生することができ、この機能がユーザにとって大きな魅力となっている。ところが、ハードディスクに記録される曲数が多くなると、その中から所望の曲を探し出すのが大変になる。そこで、ハードディスクに記録されている膨大な楽曲を整理しておくことが望まれる。
【０００４】
従来、通信機能を有する車載機（ナビゲーション装置や携帯電話など）を介して所定のインターネットサイトから最新ヒットチャート情報を取得し、ハードディスクに記録されている膨大な楽曲を最新ヒットチャートの順に並び替えるものが提案されている。また、インターネット上の情報サーバに運転者が好みの楽曲を優先順位付けして登録することにより、その優先順位に従って複数の楽曲を再生できるようにしたものも提案されている（例えば、特許文献１参照）。
【０００５】
【特許文献１】
特開２００１−３４３９７９号公報（段落００７４、図１０）
【０００６】
【発明が解決しようとする課題】
しかしながら、膨大な楽曲を最新ヒットチャートの順に並び替える上記従来の技術では、最新ヒットチャートの情報をインターネット経由で取り込む必要があるため、通信コストがかかるという問題があった。また、特許文献１の従来技術に関しても、好みの楽曲を情報サーバに登録する際や、情報サーバの制御により優先順位付けに従って楽曲を再生する際に、インターネットに接続する必要があり、やはり通信コストがかかるという問題があった。
【０００７】
さらに、上記従来の技術では、楽曲の並び替えを行う際には、所定のインターネットサイトあるいは情報サーバにわざわざアクセスして種々の情報入力操作を行う必要があり、ユーザは面倒な作業を行わなければならないという問題もあった。
【０００８】
本発明は、このような問題を解決するために成されたものであり、ハードディスク等の記録媒体に記録されている多数の楽曲を、通信コストをかけずに、かつ、ユーザが面倒な作業をすることなく自動的に並び替えることができるようにすることを目的とする。
【０００９】
【課題を解決するための手段】
上記した課題を解決するために、本発明の受信放送情報を用いた楽曲並び替え装置では、ＦＭ多重放送、デジタル地上波放送、デジタル衛星放送等のように、放送番組のデータにその放送内容を示す付随情報が付加された放送の受信情報から当該付随情報を取得し、当該取得した付随情報と、記録媒体に記録されている複数の楽曲に関する属性情報とを用いて、複数の楽曲を付随情報に基づいて並び替えるようにしている。
【００１０】
上記のように構成した本発明によれば、ＦＭ多重放送、デジタル地上波放送、デジタル衛星放送等は通信コストが無料で、しかも面倒なアクセス操作をすることなく簡単に受信することができ、その受信情報中に含まれている付随情報に基づいて、ハードディスク等の記録媒体に記録されている複数の楽曲が自動的に並び替えられるようになる。
【００１１】
【発明の実施の形態】
（第１の実施形態）
以下、本発明の第１の実施形態を図面に基づいて説明する。図１は、本実施形態の楽曲並び替え装置を適用したオーディオシステム１００の構成例を示すブロック図である。図１に示すように、本実施形態のオーディオシステム１００は、アンテナ１、チューナ２、ＦＭ多重デコーダ３、マイクロプロセッサ（マイコン）４、ハードディスク５、操作部６、表示部７、再生処理部８およびスピーカ９を備えて構成されている。
【００１２】
アンテナ１は、放送番組のデータにその放送内容を示す付随情報が付加されたＦＭ多重放送を受信する。チューナ２は、アンテナ１を介して受信した放送信号の中から所望の受信周波数成分を抽出するとともに、抽出した放送信号に対して周波数変換処理を行い、中間周波数（ＩＦ）信号を生成する。ここで生成されたＩＦ信号は、ＦＭ多重デコーダ３に入力される。
【００１３】
ＦＭ多重デコーダ３は、チューナ２より入力されたＩＦ信号を処理して、ユーザが選択したチャンネルに関する放送番組のデータとそれに付加されている付随情報とに分離する。そして、分離した放送番組のデータを音声信号に復調して再生処理部８に出力するとともに、分離した付随情報をマイクロプロセッサ４に出力する。
【００１４】
マイクロプロセッサ４は、本実施形態の楽曲並び替え装置を構成するものであり、ＦＭ多重デコーダ３から入力される付随情報に基づいて、ハードディスク５に記録されている複数の楽曲を並び替える処理を行う。このマイクロプロセッサ４が持つ機能の詳細は後述する。なお、このマイクロプロセッサ４は、チューナ２における受信チャンネルの選択や再生処理部８における再生動作の制御等も行う。ハードディスク５は、例えばＭＰ３形式の楽曲データを多数記録している。
【００１５】
操作部６は、受信チャンネルを選択する操作や、マイクロプロセッサ４により並び替えられた楽曲の再生を指示する操作等を行うためのものであり、例えばリモートコントローラ（リモコン）により構成される。操作部６の操作データはマイクロプロセッサ４に与えられ、当該マイクロプロセッサ４によってチューナ２や再生処理部８が制御される。
【００１６】
表示部７は、放送番組の付随情報により示される情報（例えば、現在受信中の放送局名や放送局ジャンル名、現在視聴中の曲名やアーティスト名、ジャンル名など）や、ハードディスク５に記録されている楽曲データのフォルダ情報、その他の各種情報を表示するものである。表示部７に対する表示データはマイクロプロセッサ４によって制御される。ユーザは、表示部７に表示されたフォルダの中から所望のフォルダを操作部６により選択することにより、そのフォルダ内に記録されている楽曲データの再生を再生処理部８に指示することができる。
【００１７】
再生処理部８は、ＦＭ多重デコーダ３より入力された音声信号を所定の増幅率で増幅し、スピーカ９から出力する。また、この再生処理部８はＭＰ３対応のデコーダを備えており、ハードディスク５から読み出されたＭＰ３形式の楽曲データをデコードし、得られたデジタル音声信号をＤ／Ａ変換した後、所定の増幅率で増幅してスピーカ９から出力する。
【００１８】
図２は、上記マイクロプロセッサ４およびその周辺部の機能構成例を示すブロック図である。図２に示すように、マイクロプロセッサ４は、受信番組登録部４１、本発明の付随情報取得手段に相当する付随情報取得部４２、属性情報取得部４３、分析部４４および本発明の並び替え手段に相当する並び替え処理部４５を機能として備えている。
【００１９】
受信番組登録部４１は、ユーザによる操作部６の操作に基づいて、ユーザが受信希望する放送番組（例えば、最新ヒットチャートを紹介する放送番組）およびそのタイムスケジュールを登録しておくものである。マイクロプロセッサ４は、この受信番組登録部４１に登録された情報に従って、チューナ２における受信チャンネルを制御する。
【００２０】
付随情報取得部４２は、チューナ２により受信された放送番組のデータに付加されている付随情報をＦＭ多重デコーダ３から取得する。この付随情報取得部４２は、受信中のヒットチャート番組において付随情報として楽曲のランキング情報があらかじめ用意されていれば、そのランキング情報を取得する。また、ランキング情報そのものがない場合は、そのヒットチャート番組の放送中に順次受信される各楽曲の曲名情報を取得し、その取得順をもってランキング情報とする。
【００２１】
属性情報取得部４３は、ハードディスク５に記録されている複数の楽曲に関する属性情報（例えば、各楽曲の曲名情報）を取得する。楽曲データがＭＰ３形式の場合、付随するＩＤ３タグに曲名やアーティスト名がＡＳＣＩ（アスキー）コードで記述されているので、属性情報取得部４３はこれを取得する。ハードディスク５内にＡＳＣＩコードの曲名リストが作られている場合は、属性情報取得部４３がその曲名リストを取得するようにしても良い。
【００２２】
分析部４４は、付随情報取得部４２により取得された付随情報を分析し、ハードディスク５から取得した属性情報と同じＡＳＣＩコードに変換する。並び替え処理部４５は、ＡＳＣＩコードに変換されたＦＭ多重放送の付随情報（ランキング情報）と、ハードディスク５に記録されている各楽曲の属性情報（曲名リスト）とを用いて、当該ハードディスク５内の複数の楽曲を付随情報に基づいて並び替える。
【００２３】
具体的には、付随情報によって示される最新ヒットチャートに含まれる各楽曲の曲名情報と同じ曲名情報を有する楽曲をハードディスク５の中から抽出し、抽出した楽曲のデータを、指定されたヒットチャートフォルダに移動または複写する。そして、そのフォルダ内に移動または複写した複数の楽曲を、最新ヒットチャートの順位に従って並び替える。
【００２４】
以下に、上記のように構成した第１の実施形態によるオーディオシステム１００の動作について説明する。図３は、第１の実施形態によるオーディオシステム１００の動作を示すフローチャートである。
【００２５】
図３において、マイクロプロセッサ４は、受信番組登録部４１に登録された希望のヒットチャート番組を受信可能な状態になったかどうか、すなわち、受信番組登録部４１に登録されたタイムスケジュールに示される放送時間になったかどうかを判断する（ステップＳ１）。希望の番組を受信可能な状態になると、マイクロプロセッサ４はチューナ２の受信チャンネルを制御して、当該ヒットチャート番組を受信する。
【００２６】
そして、付随情報取得部４２は、そのヒットチャート番組から付随情報を取得できるかどうか、すなわち、付随情報が放送番組に付加されているかどうかを判断する（ステップＳ２）。付随情報を取得可能であれば、付随情報取得部４２によって実際にそれを取得し、分析部４４によってＡＳＣＩコードに変換する（ステップＳ３）。
【００２７】
次に、並び替え処理部４５は、ＡＳＣＩコードに変換された付随情報（各楽曲のランキング情報）と、ハードディスク５に記録されている各楽曲の属性情報（曲名リスト）とを比較して、当該ハードディスク５内の複数の楽曲を付随情報に基づいて最新ヒットチャートの順番に並び替える（ステップＳ４）。
【００２８】
以上詳しく説明したように、第１の実施形態によれば、ＦＭ多重放送のヒットチャートを利用してハードディスク５内の楽曲を並び替えるようにしたので、インターネット経由で情報を取り込まなくても良く、通信コストをかけずに、かつ、面倒なインターネット接続や各種情報入力操作等を行うことなく楽曲の並び替えを自動的に行うことができる。
【００２９】
なお、上記第１の実施形態では、マイクロプロセッサ４において、属性情報取得部４３がハードディスク５から属性情報を取得し、その属性情報とＦＭ多重放送の付随情報とを並び替え処理部４５が比較して楽曲の並び替えを行う例について説明したが、マイクロプロセッサ４がハードディスク５から属性情報を取得することは必須でない。すなわち、並び替え処理部４５が、付随情報中に含まれる曲名情報をキーとしてハードディスク５内を検索し、検索にヒットした楽曲を当該付随情報のヒットチャートに従って並び替えるようにしても良い。
【００３０】
（第２の実施形態）
次に、本発明の第２の実施形態について説明する。図４は、第２の実施形態によるマイクロプロセッサ４’およびその周辺部の機能構成例を示すブロック図である。なお、この図４において、図２に示した符号と同一の符号を付したものは同一の機能を有するものであるので、ここでは重複する説明を省略する。
【００３１】
図４に示すマイクロプロセッサ４’は、図２に示した並び替え処理部４５の代わりに、別機能の並び替え処理部４６を備えている。また、このマイクロプロセッサ４’は期間登録部４７を更に備えている。一方、図２に示した受信番組登録部４１は備えていない。さらに、マイクロプロセッサ４’の外部には、回数変数メモリ１１、日数カウントメモリ１２および計時部１３を更に備えている。その他の全体的構成は図１と同様である。
【００３２】
期間登録部４７は、ユーザによる操作部６の操作に基づいて、ユーザが希望する受信期間（例えば１ヶ月間などの任意の日数Ｎ）を登録しておくものである。本実施形態では上述のように図２の受信番組登録部４１を備えておらず、付随情報取得部４２および分析部４４では、特定の放送番組だけでなく、期間登録部４７に登録された受信期間中に受信した全ての放送番組で流された付随情報を取得してＡＳＣＩコードに変換する。この付随情報の中には、実際に放送された楽曲の曲名情報も含まれている。
【００３３】
計時部１３は、計時動作を行うものであり、日数カウントメモリ１２に記憶するカウント値Ｍを１日に１つずつインクリメントする。
【００３４】
並び替え処理部４６は、ＡＳＣＩコードに変換されたＦＭ多重放送の付随情報（曲名情報）と、ハードディスク５に記録されている各楽曲の属性情報（曲名リスト）とを照合し、ハードディスク５内に記録されている各楽曲が登録受信期間中に放送された回数をカウントする。そして、その楽曲毎のカウント値を回数変数Ｘｎ（ｎは各楽曲の識別変数とする）として回数変数メモリ１１に記憶する。さらに、並び替え処理部４６は、日数カウントメモリ１２に記憶された日数カウント値Ｍが、期間登録部４７に登録された受信期間の日数Ｎに達したときに、回数変数Ｘｎの値が大きい順にハードディスク５内の複数の楽曲を並び替える。
【００３５】
以下に、上記のように構成した第２の本実施形態によるオーディオシステム１００の動作について説明する。図５は、第２の実施形態によるオーディオシステム１００の動作を示すフローチャートである。なお、このフローチャートの動作とは別に、計時部１３により日数カウント値Ｍのカウント動作が行われているものとする。
【００３６】
図５において、並び替え処理部４６は、日数カウントメモリ１２に記憶された日数カウント値Ｍと、期間登録部４７に登録されている受信期間の日数Ｎとを比較し、両者が同じ値かどうかを判断する（ステップＳ１１）。同じでなければ、ＦＭ多重放送を受信中か否かを判断し（ステップＳ１２）、受信中であれば付随情報の受信が可能かどうかを更に判断する（ステップＳ１３）。
【００３７】
付随情報の受信が可能であれば、付随情報取得部４２によって実際に付随情報を取得し、それを分析部４４によってＡＳＣＩコードに変換する（ステップＳ１４）。そして、並び替え処理部４６は、ＡＳＣＩコードに変換されたＦＭ多重放送の付随情報（曲名情報）と、ハードディスク５に記録されている各楽曲の属性情報（曲名リスト）とを比較して、ＦＭ多重放送で受信した楽曲がハードディスク５内に記録されているか否かを判断する（ステップＳ１５）。
【００３８】
ここで、ハードディスク５内に該当する楽曲の登録があると判断した場合は、その楽曲の回数変数Ｘｎを１つインクリメントして回数変数メモリ１１に記憶する（ステップＳ１６）。一方、ハードディスク５内に該当する楽曲の登録がないと判断した場合は、その楽曲の曲名情報をハードディスク５に登録するとともに、その楽曲の回数変数Ｘｎを回数変数メモリ１１に登録して１つインクリメントする（ステップＳ１７）。ステップＳ１６またはステップＳ１７の後は、ステップＳ１２に戻って付随情報の取得処理を継続する。
【００３９】
また、最初のステップＳ１１において、日数カウントメモリ１２に記憶された日数カウント値Ｍと、期間登録部４７に登録されている受信期間の日数Ｎとが同じ値であると判断した場合は、そのとき回数変数メモリ１１に記憶されている各楽曲の回数変数Ｘｎに基づいて、オンエアの頻度が多い順にハードディスク５内の複数の楽曲をヒットチャートフォルダ内で並び替える（ステップＳ１８）。その後、日数カウント値Ｍおよび回数変数Ｘｎを０にクリアした後（ステップＳ１９）、ステップＳ１１に戻る。
【００４０】
以上詳しく説明したように、第２の実施形態によれば、あらかじめ登録した一定期間の中で放送された楽曲の受信頻度をカウントし、頻度の多い順にハードディスク５内の楽曲を並び替えるようにしたので、特定のヒットチャート番組を受信しなくても、一定期間中の受信頻度をヒットチャートに見立てて楽曲の並び替えを自動的に行うことができる。
【００４１】
また、本実施形態では、実際に受信した放送番組に応じて並び替えが行われるので、ユーザ独自のランキングに基づいて楽曲を並び替えることができる。ユーザが実際に受信する放送番組はユーザ好みのものであることが多く、その中で放送されている楽曲もユーザの好みに合ったものであることが多い。そのため、本実施形態によれば、個々のユーザの嗜好に合ったランキングに従って複数の楽曲を自動的に並び替えることができる。
【００４２】
なお、上記第２の実施形態では、ＦＭ多重放送の付随情報中に含まれる曲名情報に基づいて各楽曲の受信頻度をカウントし、その受信頻度に応じてヒットチャートフォルダの中を並び替える例について説明したが、これに限定されない。例えば、ＦＭ多重放送の付随情報あるいはハードディスク５に記録されている楽曲の属性情報中に含まれるアーティスト名情報も利用して、アーティスト別フォルダを作成し、特定アーティストの楽曲を回数変数Ｘｎに基づいて並び替えてアーティスト別チャートを生成するようにしても良い。このようにすれば、特定アーティストに関して一定期間中に放送された楽曲の独自アルバムを作ることができる。また、付随情報や属性情報中にジャンル情報が含まれる場合は、それを利用してジャンル別チャートを生成することも可能である。
【００４３】
また、ＦＭ多重放送の付随情報中に含まれるアーティスト名情報を利用して、一定期間中に複数の放送番組で放送された回数の多いアーティスト順にハードディスク５に記録されている複数の楽曲を並び替えるようにしても良い。例えば、最も放送頻度の多かったアーティストの数曲を１曲目から順に並べ、次に放送頻度の多かったアーティストの数曲をその続きに並べるといった感じである。
【００４４】
また、この第２の実施形態においても第１の実施形態と同様に、マイクロプロセッサ４がハードディスク５から属性情報を取得することは必須でない。すなわち、並び替え処理部４６が、ＦＭ多重放送の付随情報中に含まれる曲名情報をキーとしてハードディスク５内を検索し、検索にヒットした楽曲に対応する回数変数Ｘｎを１つインクリメントして回数変数メモリ１１に記憶するようにしても良い。
【００４５】
（第３の実施形態）
次に、本発明の第３の実施形態について説明する。図６は、第３の実施形態によるマイクロプロセッサ４”およびその周辺部の機能構成例を示すブロック図である。なお、この図６において、図４に示した符号と同一の符号を付したものは同一の機能を有するものであるので、ここでは重複する説明を省略する。
【００４６】
図６に示すマイクロプロセッサ４”は、本発明の属性情報取得手段に相当する第２の属性情報取得部４８を更に備えている。また、このマイクロプロセッサ４”の外部には、オーディオ／ビデオデコーダ１４を更に備えている。
【００４７】
オーディオ／ビデオデコーダ１４は、ＣＤ、ＭＤ、ＤＶＤ（Ｄｉｇｉｔａｌ  Ｖｅｒｓａｔｉｌｅ  Ｄｉｓｋ）などのラジオ放送以外のソースに関するデコード処理を行うものであり、オーディオ／ビデオデータとそれに付加されている属性情報（曲名情報、アーティスト名情報、ジャンル情報など）とを分離する機能を有している。以下では、この属性情報をハードディスク５内の楽曲の属性情報と区別するために、第２の属性情報と証する。
【００４８】
第２の属性情報取得部４８は、ＣＤ、ＭＤ、ＤＶＤ等のソースに付加されている第２の属性情報をオーディオ／ビデオデコーダ１４から取得し、分析部４４に出力する。
【００４９】
以下に、上記のように構成した第３の本実施形態によるオーディオシステム１００の動作について説明する。図７は、第２の実施形態によるオーディオシステム１００の動作を示すフローチャートである。なお、この図７において、図５と同じステップ番号を付した部分は同一の処理を行う部分であるので、ここでは重複する説明を省略する。
【００５０】
図７において、日数カウントメモリ１２に記憶された日数カウント値Ｍと、期間登録部４７に登録されている受信期間の日数Ｎとが同じ値か否かを判定した結果（ステップＳ１１）、同じでないと判断した場合は、マイクロプロセッサ４は、ソース設定のモードをチェックする（ステップＳ２１）。ここで、モードがＦＭ多重放送の受信モードになっていれば、図５と同様にステップＳ１３〜Ｓ１７の処理を行う。
【００５１】
一方、モードがＦＭ多重放送の受信モード以外のモード（ＣＤ、ＭＤ、ＤＶＤ等の再生モード）に設定されている場合は、それらのソースから付随情報を取得できるかどうか、すなわち、第２の属性情報が付加されているかどうかを判断する（ステップＳ２２）。第２の属性情報を取得可能であれば、第２の属性情報取得部４８によって実際にその情報を取得し、それを分析部４４によってＡＳＣＩコードに変換する（ステップＳ２３）。
【００５２】
次に、並び替え処理部４６は、ＡＳＣＩコードに変換された第２の属性情報（曲名情報）と、ハードディスク５に記録されている各楽曲の属性情報（曲名リスト）とを比較して、ＣＤ等のソースから再生した楽曲がハードディスク５内にも記録されているか否かを判断する（ステップＳ２４）。
【００５３】
ここで、ハードディスク５内に該当する楽曲の登録があると判断した場合は、その楽曲の回数変数Ｘｎを１つインクリメントして回数変数メモリ１１に記憶する（ステップＳ２５）。一方、ハードディスク５内に該当する楽曲の登録がないと判断した場合は、その楽曲の曲名情報をハードディスク５に登録するとともに、その楽曲の回数変数Ｘｎを回数変数メモリ１１に登録して１つインクリメントする（ステップＳ２６）。ステップＳ２５またはステップＳ２６の後は、ステップＳ２１に戻って付随情報の取得処理を継続する。
【００５４】
以上詳しく説明したように、第３の実施形態によれば、ＦＭ多重放送で受信した楽曲の受信頻度に加えて、ユーザが自らの意思で再生したＣＤ、ＭＤ、ＤＶＤ等の楽曲の再生頻度をカウントし、トータルの頻度が多い順にハードディスク５内の楽曲を並び替えるようにしたので、一定期間中のＦＭ多重放送の受信頻度および他ソースの再生頻度をヒットチャートに見立てて楽曲の並び替えを自動的に行うことができる。
【００５５】
本実施形態では、ユーザが選局して実際に受信した放送番組だけでなく、ユーザが選択して実際に再生したソースに応じて並び替えが行われるので、一定期間中に多く放送されたヒット曲のほかに、ユーザの好みの曲を加えた形で、個々のユーザの嗜好により合ったランキングに従って複数の楽曲を自動的に並び替えることができる。
【００５６】
なお、この第３の実施形態においても第２の実施形態と同様に、アーティスト別チャートやジャンル別チャートを生成することが可能である。また、ＦＭ多重放送の付随情報中に含まれるアーティスト名情報を利用して、一定期間中に複数の放送番組で放送された回数の多いアーティスト順にハードディスク５に記録されている複数の楽曲を並び替えることも可能である。
【００５７】
また、上記第３の実施形態では、ＣＤ、ＭＤ、ＤＶＤ等の再生ソースから取得した第２の属性情報を利用して楽曲の並び替えを行っているが、ハードディスク５自身からＭＰ３形式の楽曲を再生した場合に、その再生データからＭＰ３の属性情報を取得して楽曲の並び替えに利用するようにしても良い。
【００５８】
以上、第１〜第３の実施形態では、ＦＭ多重放送を利用して楽曲の並び替えを行う例について説明したが、曲名やアーティスト名等の付随情報が付加されているものであれば良く、デジタル地上波放送、デジタル衛星放送等を利用して並び替えを行うようにしても良い。この場合も、通信コストをかけずに、かつ、面倒なインターネット接続操作等を行うことなく楽曲の並び替えを自動的に行うことができる。
【００５９】
また、上記第１〜第３の実施形態では、ハードディスク５にＭＰ３形式で記録された楽曲を並び替える例について説明したが、これに限定されない。例えば、ＡＡＣ（Ａｄｖａｎｃｅｄ  Ａｕｄｉｏ  Ｃｏｄｉｎｇ）、ＡＣ−３（Ｄｏｌｂｙ  Ｄｉｇｉｔａｌ）、ＡＴＲＡＣ３（Ａｄａｐｔｉｖｅ  Ｔｒａｎｓｆｏｒｍ  Ａｃｏｕｓｔｉｃ  Ｃｏｄｉｎｇ）、ＷＭＡ（Ｗｉｎｄｏｗｓ  Ｍｅｄｉａ  Ａｕｄｉｏ）等の形式で記録された楽曲の並び替えを行うことも可能である。
【００６０】
また、上記第１〜第３の実施形態では、ＭＰ３形式の属性情報（ＩＤ３タグ）に合わせてＦＭ多重放送等の付随情報をＡＳＣＩコードに変換する例について説明したが、ハードディスク５に記録されている楽曲の属性情報がＡＳＣＩコード以外で記述されている場合は、それに合わせた形式のコードに付随情報を変換する。
【００６１】
また、上記第１〜第３の実施形態では、ハードディスク５に記録されている楽曲データを指定フォルダ内で実際に並び替える例について説明したが、この例に限定されない。例えば、ハードディスク５内の楽曲データについては実際に並び替えを行わず、曲順（曲名情報の順番）だけをハードディスク５内の一部領域あるいは別メモリに記憶しておき、その曲順に従って各楽曲データを読み出しながら再生する場合も「並び替え」に相当する。
【００６２】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【００６３】
【発明の効果】
本発明は上述したように、放送番組のデータにその放送内容を示す付随情報が付加された放送の受信情報から当該付随情報を取得し、当該取得した付随情報に基づいて複数の楽曲を並び替えるようにしたので、無料の放送番組の利用して通信コストをかけずに、ハードディスク等の記録媒体に記録されている多数の楽曲を自動的に並び替えることができる。
【図面の簡単な説明】
【図１】第１の実施形態の楽曲並び替え装置を適用したオーディオシステムの構成例を示すブロック図である。
【図２】第１の実施形態によるマイクロプロセッサおよびその周辺部の機能構成例を示すブロック図である。
【図３】第１の実施形態による楽曲並び替えの動作を示すフローチャートである。
【図４】第２の実施形態によるマイクロプロセッサおよびその周辺部の機能構成例を示すブロック図である。
【図５】第２の実施形態による楽曲並び替えの動作を示すフローチャートである。
【図６】第３の実施形態によるマイクロプロセッサおよびその周辺部の機能構成例を示すブロック図である。
【図７】第３の実施形態による楽曲並び替えの動作を示すフローチャートである。
【符号の説明】
１  アンテナ
２  チューナ
３  ＦＭ多重デコーダ
４，４’，４”  マイクロプロセッサ
５  ハードディスク
６  操作部
７  表示部
８  再生処理部
９  スピーカ
１１  回数変数メモリ
１２  日数カウントメモリ
１３  計時部
１４  オーディオ／ビデオデコーダ
４１  受信番組登録部
４２  付随情報取得部
４３  属性情報取得部
４４  分析部
４５，４６  並び替え処理部
４７  期間登録部
４８  第２の属性情報取得部
【図１】
2004288330.tif 000003
【図２】
2004288330.tif 000004
【図３】
2004288330.tif 000005
【図４】
2004288330.tif 000006
【図５】
2004288330.tif 000007
【図６】
2004288330.tif 000008
【図７】
2004288330.tif 000009